(57)【要約】【課題】操作釦の中央部の後方に発光素子を配置しながらも操作釦の前面の操作位置にかかわらずストロークの小さな押釦スイッチを押操作することができる電子機器を提供する。【解決手段】呼出用の操作釦１により押操作される押釦スイッチ２および発光ダイオード素子４が実装された回路基板３が器体内に配置されている。器体内には、操作釦１を前方へ付勢し且つ操作釦１の押操作により固定端と自由端との間の部位で押釦スイッチ２の操作部２ａを押操作するアーム９が配置されている。アーム９は、固定端と反対側の自由端側の形状が二股に形成された板状であって、自由端側の各先端部９２，９２が発光ダイオード素子４を挟んで操作釦１の後方に位置するように配置されて、各先端部９２，９２の前面に操作釦１の後面に当接する各一対のリブ９３，９３が設けられている。【選択図】　　　図１
2004119144.tif 000002
【特許請求の範囲】
【請求項１】
器体内に収納された押釦スイッチと、押釦スイッチの操作用であって器体の前壁に形成された開口窓に挿通され前後方向へ移動自在に器体に保持される操作釦と、器体内において操作釦の中央部の後方に配置される発光素子と、固定端と反対側の自由端側の形状が二股に形成された板状であって自由端側の各先端部が発光素子を挟んで操作釦の後方に位置するように器体内に配置されて各先端部の前面に操作釦に当接するリブが設けられ操作釦を前方へ付勢し且つ操作釦の押操作により固定端と自由端との間の部位で押釦スイッチを押操作するアームとを備えることを特徴とする電子機器。
【請求項２】
器体内に収納された押釦スイッチと、押釦スイッチの操作用であって器体の前壁に形成された開口窓に挿通され前後方向へ移動自在に器体に保持される操作釦と、器体内において操作釦の中央部の後方に配置される発光素子と、固定端側が開放された略コ字状に形成され両脚片が発光素子を挟んで操作釦の後方に位置するように器体内に配置されて両脚片の前面に操作釦に当接するリブが設けられ操作釦を前方へ付勢し且つ操作釦の押操作により両脚片の間の部位で押釦スイッチを押操作するアームとを備えることを特徴とする電子機器。
【請求項３】
前記操作釦の外周形状が略矩形状であって、前記アームは、前記リブが前記操作釦の外周の４辺のうちの一対の平行な辺それぞれの中央に当接するような位置に配設されてなることを特徴とする請求項１または請求項２記載の電子機器。
【請求項４】
器体内に収納された押釦スイッチと、押釦スイッチの操作用であって器体の前壁に形成された開口窓に挿通され前後方向へ移動自在に器体に保持される操作釦と、器体内において操作釦の中央部の後方に配置される発光素子と、固定端と反対側の自由端側の形状が二股に形成された板状であって自由端側の各先端部が発光素子を挟んで操作釦の後方に位置するように器体内に配置されて各先端部の前面に操作釦から後方へ突設されたリブを受けるリブ受け部が設けられ操作釦を前方へ付勢し且つ操作釦の押操作により固定端と自由端との間の部位で押釦スイッチを押操作するアームとを備えることを特徴とする電子機器。
【請求項５】
器体内に収納された押釦スイッチと、押釦スイッチの操作用であって器体の前壁に形成された開口窓に挿通され前後方向へ移動自在に器体に保持される操作釦と、器体内において操作釦の中央部の後方に配置される発光素子と、固定端側が開放された略コ字状に形成され両脚片が発光素子を挟んで操作釦の後方に位置するように器体内に配置されて両脚片の前面に操作釦から後方へ突設されたリブを受けるリブ受け部が設けられ操作釦を前方へ付勢し且つ操作釦の押操作により両脚片の間の部位で押釦スイッチを押操作するアームとを備えることを特徴とする電子機器。
【請求項６】
前記操作釦の外周形状が略矩形状であって、前記リブは、前記操作釦の外周の４辺のうちの一対の平行な辺それぞれの中央に配設されてなることを特徴とする請求項４または請求項５記載の電子機器。
【請求項７】
前記操作釦が後面開口した箱状に形成され、前記操作釦の内周面に沿って配置され前記器体における前記開口窓の内周縁との間に前記操作釦の周壁を保持する誘導壁を備えることを特徴とする請求項１ないし請求項６のいずれかに記載の電子機器。
【請求項８】
前記器体は、前記前壁における前記開口窓の周縁から全周にわたって前方へ突出する筒状の前面側ガイド壁が突設されるとともに、前記開口窓の周縁から全周にわたって後方へ突出する筒状の後面側ガイド壁が突設されてなることを特徴とする請求項７記載の電子機器。
【発明の詳細な説明】
【０００１】
【発明の属する技術分野】
本発明は、器体内に配置された押釦スイッチの操作用の操作釦の前面が器体の前壁に形成された開口窓を通して露出し且つ操作釦の後方に発光素子が配置された電子機器に関するものである。
【０００２】
【従来の技術】
従来より、この種の電子機器の一例として、器体内に呼出用の押釦スイッチが配置され器体の前面側において押釦スイッチに対応した部位に押釦スイッチの操作用の操作釦が配設された所謂ドアホン子器が知られている。なお、ドアホン子器は住宅などの玄関先に設置される。
【０００３】
ところで、ドアホン子器としては、図６に示すように、操作釦１により押操作される押釦スイッチ２を実装した回路基板３において押釦スイッチ２の近傍に警報表示用の発光素子として発光ダイオード素子４を実装したものが提案されている（例えば、特許文献１参照）。なお、ドアホン子器は、前面が開口したボディ（図示せず）と、ボディの前面側に結合されるカバー５とにより構成される器体を備えており、器体内に回路基板３が配置され、カバー５の前壁５１に操作釦１を挿通させる開口窓５３が形成されている。また、操作釦１は、後面が開口した直方体状の形状に形成されており、操作釦１の後部には上辺を除いた下辺および左右両側辺に跨って外鍔部１２が突設されている。また、カバー５の前壁５１には、開口窓５３の周縁から全周に亘って前方に突出する前面側ガイドリブ５４が突設されている。
【０００４】
ところで、上述の発光ダイオード素子４は、操作釦１の中央部の後方に配置するのが一般的であり、操作釦１の一端部（上端部）をカバー５に枢着し、ピアノの鍵盤と同様に一端部を支点として他端部（下端部）を押し込むことができる構成とし、上下方向において下端側に押釦スイッチ２の位置をずらして配置することでストロークの小さな押釦スイッチ２を用いながらも操作釦１の押込量を大きくして操作感を高めている。ここに、操作釦１は、上端部の後部に設けられた軸受凹部１３へカバー５において開口窓５３の周縁から突設された軸部５６を回動自在に嵌め込むことでカバー５に回動自在に枢着される。
【０００５】
【特許文献１】
特開平１０−２６９４８２号公報（図２）
【０００６】
【発明が解決しようとする課題】
ところで、上記従来構成のドアホン子器では、操作釦１の下端部を図７の矢印Ａ１の向きで押操作すれば操作釦１の下端部が軸部５６を中心にして同図の矢印Ｃの向きで回動して操作釦１により押釦スイッチ２の操作部２ａが押操作されることになる（なお、図７には操作釦１が矢印Ｃの向きで回動したときの操作釦１の状態を一点鎖線で示してある）が、操作釦１の上端部を同図の矢印Ａ２の向きで押操作しても押釦スイッチ２の操作部２ａが押操作されないので、使い勝手がよくないという不具合があった。
【０００７】
本発明は上記事由に鑑みて為されたものであり、その目的は、操作釦の中央部の後方に発光素子を配置しながらも操作釦の前面の操作位置にかかわらずストロークの小さな押釦スイッチを押操作することができる電子機器を提供することにある。
【０００８】
【課題を解決するための手段】
請求項１の発明は、器体内に収納された押釦スイッチと、押釦スイッチの操作用であって器体の前壁に形成された開口窓に挿通され前後方向へ移動自在に器体に保持される操作釦と、器体内において操作釦の中央部の後方に配置される発光素子と、固定端と反対側の自由端側の形状が二股に形成された板状であって自由端側の各先端部が発光素子を挟んで操作釦の後方に位置するように器体内に配置されて各先端部の前面に操作釦に当接するリブが設けられ操作釦を前方へ付勢し且つ操作釦の押操作により固定端と自由端との間の部位で押釦スイッチを押操作するアームとを備えることを特徴とするものであり、固定端と反対側の自由端側の形状が二股に形成された板状であって自由端側の各先端部が発光素子を挟んで操作釦の後方に位置するように器体内に配置されて各先端部の前面に操作釦に当接するリブが設けられ操作釦を前方へ付勢し且つ操作釦の押操作により固定端と自由端との間の部位で押釦スイッチを押操作するアームを備えていることにより、操作釦の中央部の後方に発光素子を配置しながらも操作釦の前面の操作位置にかかわらずアームのリブに荷重をかけることができ、アームを介してストロークの小さな押釦スイッチを押操作することができる。
【０００９】
請求項２の発明は、器体内に収納された押釦スイッチと、押釦スイッチの操作用であって器体の前壁に形成された開口窓に挿通され前後方向へ移動自在に器体に保持される操作釦と、器体内において操作釦の中央部の後方に配置される発光素子と、固定端側が開放された略コ字状に形成され両脚片が発光素子を挟んで操作釦の後方に位置するように器体内に配置されて両脚片の前面に操作釦に当接するリブが設けられ操作釦を前方へ付勢し且つ操作釦の押操作により両脚片の間の部位で押釦スイッチを押操作するアームとを備えることを特徴とするものであり、固定端側が開放された略コ字状に形成され両脚片が発光素子を挟んで操作釦の後方に位置するように器体内に配置されて両脚片の前面に操作釦に当接するリブが設けられ操作釦を前方へ付勢し且つ操作釦の押操作により両脚片の間の部位で押釦スイッチを押操作するアームを備えていることにより、操作釦の中央部の後方に発光素子を配置しながらも操作釦の前面の操作位置にかかわらずアームのリブに荷重をかけることができ、アームを介してストロークの小さな押釦スイッチを押操作することができる。また、請求項１の発明に比べてアームの固定端から自由端までの距離を長くすることができ、請求項１の発明に比べて操作釦の押操作時にアームにかかる応力を分散させることができるので、アームの耐久性を高めることができ、結果的に信頼性を高めることができるという利点がある。
【００１０】
請求項３の発明は、請求項１または請求項２の発明において、前記操作釦の外周形状が略矩形状であって、前記アームは、前記リブが前記操作釦の外周の４辺のうちの一対の平行な辺それぞれの中央に当接するような位置に配設されているので、前記操作釦の前面の操作位置にかかわらず前記押釦スイッチの安定した押操作が可能になる。
【００１１】
請求項４の発明は、器体内に収納された押釦スイッチと、押釦スイッチの操作用であって器体の前壁に形成された開口窓に挿通され前後方向へ移動自在に器体に保持される操作釦と、器体内において操作釦の中央部の後方に配置される発光素子と、固定端と反対側の自由端側の形状が二股に形成された板状であって自由端側の各先端部が発光素子を挟んで操作釦の後方に位置するように器体内に配置されて各先端部の前面に操作釦から後方へ突設されたリブを受けるリブ受け部が設けられ操作釦を前方へ付勢し且つ操作釦の押操作により固定端と自由端との間の部位で押釦スイッチを押操作するアームとを備えることを特徴とするものであり、固定端と反対側の自由端側の形状が二股に形成された板状であって自由端側の各先端部が発光素子を挟んで操作釦の後方に位置するように器体内に配置されて各先端部の前面に操作釦から後方へ突設されたリブを受けるリブ受け部が設けられ操作釦を前方へ付勢し且つ操作釦の押操作により固定端と自由端との間の部位で押釦スイッチを押操作するアームを備えていることにより、操作釦の中央部の後方に発光素子を配置しながらも操作釦の前面の操作位置にかかわらずアームのリブ受け部に荷重をかけることができ、アームを介してストロークの小さな押釦スイッチを押操作することができる。
【００１２】
請求項５の発明は、器体内に収納された押釦スイッチと、押釦スイッチの操作用であって器体の前壁に形成された開口窓に挿通され前後方向へ移動自在に器体に保持される操作釦と、器体内において操作釦の中央部の後方に配置される発光素子と、固定端側が開放された略コ字状に形成され両脚片が発光素子を挟んで操作釦の後方に位置するように器体内に配置されて両脚片の前面に操作釦から後方へ突設されたリブを受けるリブ受け部が設けられ操作釦を前方へ付勢し且つ操作釦の押操作により両脚片の間の部位で押釦スイッチを押操作するアームとを備えることを特徴とするものであり、固定端側が開放された略コ字状に形成され両脚片が発光素子を挟んで操作釦の後方に位置するように器体内に配置されて両脚片の前面に操作釦から後方へ突設されたリブを受けるリブ受け部が設けられ操作釦を前方へ付勢し且つ操作釦の押操作により両脚片の間の部位で押釦スイッチを押操作するアームを備えていることにより、操作釦の中央部の後方に発光素子を配置しながらも操作釦の前面の操作位置にかかわらずアームのリブ受け部に荷重をかけることができ、アームを介してストロークの小さな押釦スイッチを押操作することができる。また、請求項４の発明に比べてアームの固定端から自由端までの距離を長くすることができ、請求項４の発明に比べて操作釦の押操作時にアームにかかる応力を分散させることができるので、アームの耐久性を高めることができ、結果的に信頼性を高めることができるという利点がある。
【００１３】
請求項６の発明は、請求項４または請求項５の発明において、前記操作釦の外周形状が略矩形状であって、前記リブは、前記操作釦の外周の４辺のうちの一対の平行な辺それぞれの中央に配設されているので、前記操作釦の前面の操作位置にかかわらず前記押釦スイッチの安定した押操作が可能になる。
【００１４】
請求項７の発明は、請求項１ないし請求項６の発明において、前記操作釦が後面開口した箱状に形成され、前記操作釦の内周面に沿って配置され前記器体における前記開口窓の内周縁との間に前記操作釦の周壁を保持する誘導壁を備えるので、前記操作釦を前記前後方向へ安定して移動させることができる。
【００１５】
請求項８の発明は、請求項７の発明において、前記器体は、前記前壁における前記開口窓の周縁から全周にわたって前方へ突出する筒状の前面側ガイド壁が突設されるとともに、前記開口窓の周縁から全周にわたって後方へ突出する筒状の後面側ガイド壁が突設されているので、前記操作釦をより安定して前記前後方向へ移動させることができる。
【００１６】
【発明の実施の形態】
（実施形態１）
本実施形態では、器体内に配置された押釦スイッチの操作用の操作釦の前面が器体の前壁に形成された開口窓を通して露出した電子機器の一例としてドアホン子器を図１を参照しながら説明するが、本発明の技術思想を他の電子機器に適用できることは勿論である。
【００１７】
ドアホン子器は、前面が開口したボディ（図示せず）と、ボディの前面側に結合されるカバー５とにより構成される器体を備えており、器体内に呼出用の操作釦１により押操作される押釦スイッチ２および発光素子たる発光ダイオード素子４が実装されたプリント基板からなる回路基板３が配置され、カバー５の前壁５１に操作釦１を挿通させる開口窓５３が形成されている。なお、回路基板３は図示しない固定ねじを用いてカバー５に固着されている。
【００１８】
ここにおいて、ドアホン子器は、住宅内に配置された火災センサなどのセンサ出力を監視し警報信号を出力する機能を有するいわゆる住宅情報盤のドアホン親器（図示せず）に接続されており、火災センサが発報した際に住宅情報盤からの警報信号により発光ダイオード素子４が発光することで火災センサの発報を外部へ報知できるようになっている。要するに、ドアホン子器は、発光ダイオード素子４により警報を表示する警報表示機能を有している。なお、発光ダイオード素子４は、図示しないＬＥＤチップと、ＬＥＤチップから放射される光に対して透明な樹脂（例えば、エポキシ樹脂、シリコーン樹脂など）からなる封止樹脂を砲弾形に成形したモールド部４２と、ＬＥＤチップに電気的に接続されモールド部４２の後面から突出したリード端子４３，４４とを備えている。
【００１９】
ドアホン子器の器体内には、スピーカ（図示せず）とマイク（図示せず）とからなる子器通話装置が収納されており、来訪者がドアホン子器の操作釦１を押操作することで押釦スイッチ２の操作部２ａが押操作されると、住宅情報盤のスピーカが所定の呼出音で鳴動し、例えば家人がドアホン親器のハンドセットをとることで家人との通話が可能となるように構成されている。ここにおいて、ドアホン子器は、上記子器通話装置のスピーカがカバー５の前壁５１の中央部の後面側に配設され、マイクが図１（ａ）におけるカバー５の左側の下部の後面側に配設されている。また、カバー５の前壁５１においてスピーカに対応する部位には多数の音孔５７が貫設され、カバー５の前壁５１においてマイクに対応した部位には音孔５８が貫設されている。
【００２０】
操作釦１は、後面が開口した直方体状の形状に形成されており、操作釦１の後部には全周に亘って外鍔部１２が突設されている。これに対して、カバー５の前壁５１には、開口窓５３の周縁から全周に亘って前方に突出する前面側ガイド壁５４が突設されるとともに、開口窓５３の周縁から全周に亘って後方に突出する後面側ガイド壁５５が突設されており、外鍔部１２が後面側ガイド壁５５の後方に位置している。
【００２１】
また、操作釦１は、前壁の前面の中央部に操作位置を指示する指示凹部１４が形成され、指示凹部１４の内底面には当該操作釦１が呼出用の操作釦１であることを示すシンボル１５が表記されている。ここに、操作釦１は、前壁の中央部が薄肉になっており、発光ダイオード素子４の光を外部へ透過させる透光部を構成している。なお、操作釦１の前壁の中央部の後面側には、透光性樹脂（例えば、アクリル樹脂など）により前面側が閉塞された円筒状に形成された補強部材１６が配設されている。
【００２２】
上述の回路基板３の前面側に実装された発光ダイオード素子４は、操作釦１の中央部の後方に配置されており、押釦スイッチ２は発光ダイオード素子４の上方に配置されている。ここにおいて、回路基板３の前面側には合成樹脂成形品からなるアームブロックＢが配設されている。アームブロックＢは、回路基板３の前面側に配置される矩形板状のベース６および後述のアーム９を備えており、ベース６には、発光ダイオード素子４のモールド部４２を挿通させる円形状の挿通孔６１が形成され、挿通孔６１の周縁から全周に亘って前方へ突出する円環状のリブ６２が突設されている。また、回路基板３において押釦スイッチ２と発光ダイオード素子４との間の部位には円形状の位置決め孔３２が貫設されており、ベース６の後面には、挿通孔６１の上側に位置決め孔３２へ嵌入される円柱状の位置決め突起６４が後方へ向かって突設されている。
【００２３】
ベース６は、回路基板３に形成された切欠部３１の周縁に係止される係止爪６３が後方へ突設されている。また、ベース６は、挿通孔６１の左右両側に、前方に突出して操作釦１の内周面に沿って配置されカバー５の開口窓５３の内周縁との間に操作釦１の周壁を保持する誘導壁６５，６５が突設されている。
【００２４】
ところで、器体内には、操作釦１を前方へ付勢し且つ操作釦１の押操作により固定端と自由端との間の部位で押釦スイッチ２の操作部２ａを押操作する上述のアーム９が配置されている。ここにおいて、アーム９は、ベース６の上端縁の両端部からそれぞれ上方へ延設された一対の連絡片７，７の上端部に連結された支持片８に支持されており、支持片８との連結部が固定端となっている。
【００２５】
アーム９は、固定端と反対側の自由端側の形状が二股に形成された板状であって、自由端側の各先端部９２，９２が発光ダイオード素子４を挟んで操作釦１の後方に位置するように配置されて、各先端部９２，９２それぞれの前面に操作釦１に当接する一対のリブ９３，９３が設けられている。また、操作釦１の外周形状は略矩形状であって、リブ９３は、操作釦１の外周の４辺のうちの一対の平行な辺それぞれの略中央に当接するように配設されている。また、アーム９において押釦スイッチ２に重なる部位には操作釦１の押操作時に押釦スイッチ２の操作部２ａを押操作する押突起９４が後方へ突設されている。
【００２６】
しかして、本実施形態では、固定端と反対側の自由端側の形状が二股に形成された板状であって自由端側の各先端部９２，９２が発光ダイオード素子４を挟んで操作釦１の後方に位置するように器体内に配置されて各先端部９２，９２の前面に操作釦１に当接する各一対のリブ９３，９３が設けられ操作釦１を前方へ付勢し且つ操作釦１の押操作により固定端と自由端との間の部位で押釦スイッチ２を押操作するアーム９を備えていることにより、操作釦１の中央部の後方に発光ダイオード素子４を配置しながらも操作釦１の前面の操作位置にかかわらずアーム９のリブ９３に荷重をかけることができ、アーム９を介してストロークの小さな押釦スイッチ２を押操作することができる。ここに、操作釦１の外周形状が略矩形状であって、リブ９３は、操作釦１の外周の４辺のうちの一対の平行な辺それぞれの略中央に当接するように配設されているので、操作釦１の前面の操作位置にかかわらず押釦スイッチ２の安定した押操作が可能になる。
【００２７】
また、本実施形態のドアホン子器では、操作釦１が後面開口した箱状に形成され、操作釦１の内周面に沿って配置され器体における開口窓５３の内周縁との間に操作釦１の周壁を保持する誘導壁６５，６５がベース６から突設されているので、操作釦１を前後方向へ安定して移動させることができる。また、器体は、前壁５１における開口窓５３の周縁から全周にわたって前方へ突出する筒状の前面側ガイド壁５４が突設されるとともに、開口窓５３の周縁から全周にわたって後方へ突出する筒状の後面側ガイド壁５５が突設されているので、操作釦１をより安定して前後方向へ移動させることができる。
【００２８】
ところで、本実施形態では、アーム９にリブ９３，９３を設けてあるが、図２に示すように、操作釦１に後方へ突出するリブ１７を設け、アーム９の一対のリブ９３，９３でリブ１７の先端部を厚み方向の両側から挟むようにしてもよく、このような構造を採用すれば、アーム９においてそれぞれ一対のリブ９３，９３が形成された各先端部９２，９２がそれぞれリブ受け部を構成する。ここに、操作釦１から突設されたリブ１７の先端縁からは、アーム９の各先端部９２，９２の側縁に当接してリブ１７の左右方向への位置ずれを防止する位置ずれ防止突起１８が突設されている。しかして、このような構成では、固定端と反対側の自由端側の形状が二股に形成された板状であって自由端側の各先端部９２，９２が発光ダイオード素子４を挟んで操作釦１の後方に位置するように器体内に配置されて各先端部９２，９２の前面に操作釦１から後方へ突設されたリブ１７を受けるリブ受け部が設けられ操作釦１を前方へ付勢し且つ操作釦１の押操作により固定端と自由端との間の部位で押釦スイッチ２を押操作するアーム９を備えていることにより、操作釦１の中央部の後方に発光ダイオード素子４を配置しながらも操作釦１の前面の操作位置にかかわらずアーム９のリブ受け部に荷重をかけることができ、アーム９を介してストロークの小さな押釦スイッチ２を押操作することができる。ここに、操作釦１の外周形状が略矩形状であって、リブ１７は、操作釦１の外周の４辺のうちの一対の平行な辺それぞれの中央に配設されているので、操作釦１の前面の操作位置にかかわらず押釦スイッチ２の安定した押操作が可能になる。要するに、操作釦１の中央部を図３の矢印Ａ１の向きで押操作すれば操作釦１が同図の矢印Ｄの向きに押し込まれてリブ１７によりアーム９の先端部９２のリブ受け部に荷重がかかり押突起９４により押釦スイッチ２の操作部２ａが押操作される（なお、図３には操作釦１が矢印Ｄの向きで押し込まれたときの操作釦１の状態を一点鎖線で示してある）ことは勿論のこと、操作釦１の上端部を同図の矢印Ａ２の向きで押操作してもリブ１７によりアーム９の先端部９２に荷重がかかり押突起９４により押釦スイッチ２の操作部２ａが押操作される。
【００２９】
（実施形態２）
本実施形態の電子機器の基本構成は実施形態１と略同じであって、図４に示すように、アーム９の形状が実施形態１とは相違している。なお、実施形態１と同様の構成要素には同一の符号を付して説明を省略する。
【００３０】
本実施形態におけるアーム９は、固定端側が開放された略コ字状に形成され両脚片９ｂ，９ｂが発光ダイオード素子４を挟んで操作釦１の後方に位置するように器体内に配置される。ここに、本実施形態におけるアーム９は、両脚片９ｂ，９ｂの長手方向の中間部９５，９５の前面にリブ９３，９３が設けられ操作釦１を前方へ付勢し且つ操作釦１の押操作により両脚片９ｂ，９ｂの間の部位９ａの中央部から後方に突設された押突起９４が押釦スイッチ２の操作部２ａを押操作する。
【００３１】
しかして、本実施形態では、固定端側が開放された略コ字状に形成され両脚片９ｂ，９ｂが発光ダイオード素子４を挟んで操作釦１の後方に位置するように器体内に配置されて両脚片９ｂ，９ｂの前面に操作釦１に当接するリブ９３が設けられ操作釦１を前方へ付勢し且つ操作釦１の押操作により両脚片９ｂ，９ｂの間の部位９ａで押釦スイッチ２を押操作するアーム９を備えていることにより、操作釦１の中央部の後方に発光ダイオード素子４を配置しながらも操作釦１の前面の操作位置にかかわらずアーム９のリブ９３に荷重をかけることができ、アーム９を介してストロークの小さな押釦スイッチ２を押操作することができる。また、実施形態１に比べてアーム９の固定端から自由端までの距離を長くすることができ、実施形態１に比べて操作釦１の押操作時にアーム９にかかる応力を分散させることができるので、アーム９の耐久性を高めることができ、結果的に信頼性を高めることができるという利点がある。
【００３２】
ところで、本実施形態においても、実施形態１と同様、アーム９にリブ９３，９３を設けてあるが、上述の図２に示すように、操作釦１に後方へ突出するリブ１７を設け、一対のリブ９３，９３でリブ１７の先端部を厚み方向の両側から挟むようにしてもよく、このような構造を採用すれば、アーム９においてそれぞれ一対のリブ９３，９３が形成された中間部９５，９５がそれぞれリブ受け部を構成する。ここに、操作釦１から突設されたリブ１７の先端縁からは、アーム９のリブ受け部の側縁に当接してリブ１７の左右方向への位置ずれを防止する位置ずれ防止突起１８が突設されている。このような構成を採用すれば、固定端側が開放された略コ字状に形成され両脚片９ｂ．９ｂが発光ダイオード素子４を挟んで操作釦１の後方に位置するように器体内に配置されて両脚片９ｂ，９ｂの前面に操作釦１から後方へ突設されたリブ１７を受けるリブ受け部が設けられ操作釦１を前方へ付勢し且つ操作釦１の押操作により両脚片９ｂ，９ｂの間の部位９ａで押釦スイッチ２を押操作するアーム９を備えていることにより、操作釦１の中央部の後方に発光ダイオード素子４を配置しながらも操作釦１の前面の操作位置にかかわらずアーム９のリブ受け部に荷重をかけることができ、アーム９を介してストロークの小さな押釦スイッチ２を押操作することができる。要するに、操作釦１の中央部を図５の矢印Ａ１の向きで押操作すれば操作釦１が同図の矢印Ｄの向きに押し込まれてリブ１７によりアーム９のリブ受け部９５に荷重がかかり押突起９４により押釦スイッチ２の操作部２ａが押操作される（なお、図５には操作釦１が矢印Ｄの向きで押し込まれたときの操作釦１の状態を一点鎖線で示してある）ことは勿論のこと、操作釦１の上端部を同図の矢印Ａ２の向きで押操作してもリブ１７によりアーム９のリブ受け部９５に荷重がかかり押突起９４により押釦スイッチ２の操作部２ａが押操作される。
【００３３】
【発明の効果】
請求項１の発明は、器体内に収納された押釦スイッチと、押釦スイッチの操作用であって器体の前壁に形成された開口窓に挿通され前後方向へ移動自在に器体に保持される操作釦と、器体内において操作釦の中央部の後方に配置される発光素子と、固定端と反対側の自由端側の形状が二股に形成された板状であって自由端側の各先端部が発光素子を挟んで操作釦の後方に位置するように器体内に配置されて各先端部の前面に操作釦に当接するリブが設けられ操作釦を前方へ付勢し且つ操作釦の押操作により固定端と自由端との間の部位で押釦スイッチを押操作するアームとを備えるものであり、固定端と反対側の自由端側の形状が二股に形成された板状であって自由端側の各先端部が発光素子を挟んで操作釦の後方に位置するように器体内に配置されて各先端部の前面に操作釦に当接するリブが設けられ操作釦を前方へ付勢し且つ操作釦の押操作により固定端と自由端との間の部位で押釦スイッチを押操作するアームを備えていることにより、操作釦の中央部の後方に発光素子を配置しながらも操作釦の前面の操作位置にかかわらずアームのリブに荷重をかけることができ、アームを介してストロークの小さな押釦スイッチを押操作することができるという効果がある。
【００３４】
請求項２の発明は、器体内に収納された押釦スイッチと、押釦スイッチの操作用であって器体の前壁に形成された開口窓に挿通され前後方向へ移動自在に器体に保持される操作釦と、器体内において操作釦の中央部の後方に配置される発光素子と、固定端側が開放された略コ字状に形成され両脚片が発光素子を挟んで操作釦の後方に位置するように器体内に配置されて両脚片の前面に操作釦に当接するリブが設けられ操作釦を前方へ付勢し且つ操作釦の押操作により両脚片の間の部位で押釦スイッチを押操作するアームとを備えるものであり、固定端側が開放された略コ字状に形成され両脚片が発光素子を挟んで操作釦の後方に位置するように器体内に配置されて両脚片の前面に操作釦に当接するリブが設けられ操作釦を前方へ付勢し且つ操作釦の押操作により両脚片の間の部位で押釦スイッチを押操作するアームを備えていることにより、操作釦の中央部の後方に発光素子を配置しながらも操作釦の前面の操作位置にかかわらずアームのリブに荷重をかけることができ、アームを介してストロークの小さな押釦スイッチを押操作することができるという効果がある。また、請求項１の発明に比べてアームの固定端から自由端までの距離を長くすることができ、請求項１の発明に比べて操作釦の押操作時にアームにかかる応力を分散させることができるので、アームの耐久性を高めることができ、結果的に信頼性を高めることができるという利点がある。
【００３５】
請求項３の発明は、請求項１または請求項２の発明において、前記操作釦の外周形状が略矩形状であって、前記アームは、前記リブが前記操作釦の外周の４辺のうちの一対の平行な辺それぞれの中央に当接するような位置に配設されているので、前記操作釦の前面の操作位置にかかわらず前記押釦スイッチの安定した押操作が可能になるという効果がある。
【００３６】
請求項４の発明は、器体内に収納された押釦スイッチと、押釦スイッチの操作用であって器体の前壁に形成された開口窓に挿通され前後方向へ移動自在に器体に保持される操作釦と、器体内において操作釦の中央部の後方に配置される発光素子と、固定端と反対側の自由端側の形状が二股に形成された板状であって自由端側の各先端部が発光素子を挟んで操作釦の後方に位置するように器体内に配置されて各先端部の前面に操作釦から後方へ突設されたリブを受けるリブ受け部が設けられ操作釦を前方へ付勢し且つ操作釦の押操作により固定端と自由端との間の部位で押釦スイッチを押操作するアームとを備えるものであり、固定端と反対側の自由端側の形状が二股に形成された板状であって自由端側の各先端部が発光素子を挟んで操作釦の後方に位置するように器体内に配置されて各先端部の前面に操作釦から後方へ突設されたリブを受けるリブ受け部が設けられ操作釦を前方へ付勢し且つ操作釦の押操作により固定端と自由端との間の部位で押釦スイッチを押操作するアームを備えていることにより、操作釦の中央部の後方に発光素子を配置しながらも操作釦の前面の操作位置にかかわらずアームのリブ受け部に荷重をかけることができ、アームを介してストロークの小さな押釦スイッチを押操作することができるという効果がある。
【００３７】
請求項５の発明は、器体内に収納された押釦スイッチと、押釦スイッチの操作用であって器体の前壁に形成された開口窓に挿通され前後方向へ移動自在に器体に保持される操作釦と、器体内において操作釦の中央部の後方に配置される発光素子と、固定端側が開放された略コ字状に形成され両脚片が発光素子を挟んで操作釦の後方に位置するように器体内に配置されて両脚片の前面に操作釦から後方へ突設されたリブを受けるリブ受け部が設けられ操作釦を前方へ付勢し且つ操作釦の押操作により両脚片の間の部位で押釦スイッチを押操作するアームとを備えるものであり、固定端側が開放された略コ字状に形成され両脚片が発光素子を挟んで操作釦の後方に位置するように器体内に配置されて両脚片の前面に操作釦から後方へ突設されたリブを受けるリブ受け部が設けられ操作釦を前方へ付勢し且つ操作釦の押操作により両脚片の間の部位で押釦スイッチを押操作するアームを備えていることにより、操作釦の中央部の後方に発光素子を配置しながらも操作釦の前面の操作位置にかかわらずアームのリブ受け部に荷重をかけることができ、アームを介してストロークの小さな押釦スイッチを押操作することができるという効果がある。また、請求項４の発明に比べてアームの固定端から自由端までの距離を長くすることができ、請求項４の発明に比べて操作釦の押操作時にアームにかかる応力を分散させることができるので、アームの耐久性を高めることができ、結果的に信頼性を高めることができるという利点がある。
【００３８】
請求項６の発明は、請求項４または請求項５の発明において、前記操作釦の外周形状が略矩形状であって、前記リブは、前記操作釦の外周の４辺のうちの一対の平行な辺それぞれの中央に配設されているので、前記操作釦の前面の操作位置にかかわらず前記押釦スイッチの安定した押操作が可能になる。
【００３９】
請求項７の発明は、請求項１ないし請求項６の発明において、前記操作釦が後面開口した箱状に形成され、前記操作釦の内周面に沿って配置され前記器体における前記開口窓の内周縁との間に前記操作釦の周壁を保持する誘導壁を備えるので、前記操作釦を前記前後方向へ安定して移動させることができる。
【００４０】
請求項８の発明は、請求項７の発明において、前記器体は、前記前壁における前記開口窓の周縁から全周にわたって前方へ突出する筒状の前面側ガイド壁が突設されるとともに、前記開口窓の周縁から全周にわたって後方へ突出する筒状の後面側ガイド壁が突設されているので、前記操作釦をより安定して前記前後方向へ移動させることができる。
【図面の簡単な説明】
【図１】実施形態１を示し、（ａ）は要部の分解斜視図、（ｂ）は要部の側断面図である。
【図２】同上の他の構成例における操作釦の後方から見た斜視図である。
【図３】同上の他の構成例における動作説明図である。
【図４】実施形態２を示し、（ａ）は要部の分解斜視図、（ｂ）は要部の側断面図である。
【図５】同上の他の構成例における動作説明図である。
【図６】従来例を示し、（ａ）は要部の分解斜視図、（ｂ）は要部の側断面図である。
【図７】同上の動作説明図である。
【符号の説明】
１　操作釦
２　押釦スイッチ
２ａ　操作部
３　回路基板
４　発光ダイオード素子
５　カバー
６　ベース
９　アーム
１７　リブ
５１　前壁
５３　開口窓
５４　前面側ガイド壁
５５　後面側ガイド壁
６１　挿通孔
６５　誘導壁
９２　先端部
９３　リブ
Ｂ　アームブロック
【図１】
2004119144.tif 000003
【図２】
2004119144.tif 000004
【図３】
2004119144.tif 000005
【図４】
2004119144.tif 000006
【図５】
2004119144.tif 000007
【図６】
2004119144.tif 000008
【図７】
2004119144.tif 000009